(57)【特許請求の範囲】
【請求項１】
色温度の異なる複数の発光素子を組み合わせて、色温度が調整された白色光を出力する発光装置において、前記色温度の異なる複数の発光素子は、色温度は３０００Ｋ（ケルビン）以下の低い色温度の第１発光素子と、色温度は３５００Ｋから４５００Ｋの中間の色温度の第２発光素子と、色温度は５７００Ｋ以上の高い色温度の第３発光素子とにより構成され、低い色温度の第１発光素子及び高い色温度の第３発光素子に対して中間の色温度の第２発光素子が、黒体輻射軌跡に対して正または負の異なる領域に存在し、前記第１発光素子と第２発光素子を同時に駆動する第１の駆動回路と、前記第３発光素子と第２発光素子を同時に駆動する第２の駆動回路と、前記第１発光素子と第２発光素子と第３発光素子とを同時に駆動する第３の駆動回路とを備えた駆動手段を有し、第１駆動回路を動作させた時には第１発光素子と第２発光素子に電流が流れ、第１発光素子と第２発光素子が発光し、第２駆動回路を動作させた時には第３発光素子と第２発光素子に電流が流れ、第３発光素子と第２発光素子が発光し、第３駆動回路を動作させた時には第１発光素子、第２発光素子、第３発光素子に電流が流れ、第１発光素子と第２発光素子、第３発光素子の全部が発光することを特徴とする色度調整型白色発光装置。
【請求項２】
前記第１発光素子及び第３発光素子が黒体輻射軌跡に対して負の領域に存在し、第２発光素子が黒体輻射軌跡に対して正の領域に存在する請求項１記載の色度調整型白色発光装置。
【請求項３】
前記第１発光素子及び第３発光素子が黒体輻射軌跡に対して正の領域に存在し、第２発光素子が黒体輻射軌跡に対して負の領域に存在する請求項１記載の色度調整型白色発光装置。
【請求項４】
前記発光装置は回路基板上に実装された１個の第１発光素子及び第３発光素子と２個の第２発光素子の発光素子ブロックを有する請求項１から３の何れかに記載の色度調整型白
色発光装置。
【発明の詳細な説明】
【技術分野】
【０００１】
本発明はＬＥＤ素子等の半導体発光素子を備えた半導体発光装置に関するものであり、詳しくは発光色度の調整が可能で、発光効率の良い色度調整型白色発光装置に関する。
【背景技術】
【０００２】
近年、ＬＥＤ素子（以下ＬＥＤと略記する）は半導体発光素子であるため、長寿命で優れた駆動特性を有し、さらに小型で発光効率が良く、鮮やかな発光色を有することから、カラー表示装置のバックライトや照明等に広く利用されるようになってきた。本発明においても半導体発光装置としてＬＥＤ発光装置を実施形態として説明する。
【０００３】
特に近年、ＬＥＤの高効率化に伴いＬＥＤ発光装置としては、室内の照明装置として多く採用されるようになってきており、効率の良い発光装置に加えて色調の変化が求められている。現在色度調整型の照明装置についていろいろ提案されている。（例えば特許文献１）
【０００４】
以下特許文献１に示す従来の色度調整型の照明装置について説明する。
図１４は公知のＸＹ色度図であり、点線の円形で示す範囲が白色発光領域Ｗである。図１５、図１６、図１７は図１４における白色発光領域Ｗの要部拡大図であり、黒体輻射軌跡ＢＢＬを中心にして色温度２０００Ｋ（ケルビン）から１２０００Ｋの範囲で相関色温度（点線で示す範囲）を示している。また図１５、図１６は色度点ＷＬ、ＷＨの２種類の発光素子を有し、各々色度点ＷＬの相関色温度は２６００Ｋ、色度点ＷＨの相関色温度は９０００Ｋであり、従って色度点ＷＬと色度点ＷＨとを結ぶ直線上で任意に相関色温度を調整することができる。
【０００５】
また図１７は色度点ＷＬ、ＷＭ、ＷＨの３種類の発光素子を有し、３個の色度点ＷＬ、ＷＭ、ＷＨで囲む３角形の範囲内で任意に相関色温度を調整することができる。上記方式は２個の色度点ＷＬ、ＷＨを有する発光素子、または３個の色度点ＷＬ、ＷＭ、ＷＨを有する発光素子の光出射時間、駆動電流値、電力量といった駆動条件を制御することで、各発光素子のエネルギー比を自由に変化させ、各色温度点を結ぶ範囲において任意に相関色温度を調整することができる。そして各方式共に各色温度点の黒体輻射軌跡ＢＢＬからの偏差Δｕｖを−０，０２≦Δｕｖ≦０，０２と小さくすることによって、発光素子からの出射光が実質的に黒体輻射軌跡ＢＢＬに沿った相関色温度に管理している。
【先行技術文献】
【特許文献】
【０００６】
【特許文献１】特開２００９−２３８７２９号公報（図８から図１１）
【発明の概要】
【発明が解決しようとする課題】
【０００７】
特許文献１に開示された従来技術は、2個または３個の色度点を有する発光素子を用いてその制御を行うことにより、２点間、または三角形状範囲の相関色温度を任意に調整することができる。しかし、２個の色度点ＷＬ、ＷＨを有する発光装置を使用する場合には図１５に示す如く、量産において２個の色度点の選定が色度点ＷＬａ、ＷＨａのようずれてしまうと、その２点間を結ぶ直線上（１点鎖線で示す）の一部が相関色温度の範囲から外れてしまい、良好な色度が得られなくなる危険性がある。
【０００８】
また３個の色度点ＷＬ、ＷＭ、ＷＨを有する発光装置を使用する場合には、３個の色度点ＷＬ、ＷＭ、ＷＨの設定の位置を黒体輻射軌跡ＢＢＬの一方の側（上側または下側）にしているため、図１７に示す如く量産において３個の色度点の選定が色度点ＷＬａ、ＷＭａ、ＷＨａのようにずれてしまうと、色度点ＷＬ、ＷＭ、ＷＨの設定位置を全て相関色温度の範囲に収めたとしても、その３点間を結ぶ三角形状（１点鎖線で示す）の一部が相関色温度の範囲から外れてしまい、良好な色度が得られなくなる危険性がある。
【０００９】
この問題を回避するために特許文献１においては、各色温度点の設定位置を黒体輻射軌跡ＢＢＬからの偏差Δｕｖを−０，０２≦Δｕｖ≦０，０２と小さくすることによって、発光装置からの出射光が実質的に黒体輻射軌跡ＢＢＬに沿った相関色温度に管理している。しかし、この方式では使用する発光装置が偏差Δｕｖの小さいものに限定されるので、量産によって製造される発光装置のうち、偏差Δｕｖの小さいものしか使用できず、発光装置に多くの規格外品が発生して製造歩留りを低下させるという問題がある。
【００１０】
本発明の目的は上記問題点を解決しようとするものであり、３個の色度点ＷＬ、ＷＭ、ＷＨを有する発光装置を使用し、各色度点の設定位置を相関色温度の範囲に収め、且つ黒体輻射軌跡ＢＢＬの上下に振り分けることによって、３個の色度点による三角形状範囲の相関色温度を任意に調整することができ、且つ歩留りの高い色度調整型白色発光装置を提供することである。
【発明の効果】
【００１１】
上記の如く本発明によれば、低い色温度の第１発光素子及び高い色温度の第３発光素子に対して中間の色温度の第２発光素子が、黒体輻射軌跡に対して正または負の異なる領域に存在するため、例えば３個の発光素子によって形成される三角形は、黒体輻射軌跡を挟んで相関色温度の範囲に収まる結果となり、３個の色度点による三角形状範囲の相関色温度を任意に調整することがで、且つ歩留りの高い色度調整型白色発光装置を提供することである。
【課題を解決するための手段】
【００１２】
上記目的を達成するため本発明における構成は、色温度の異なる複数の発光素子を組み合わせて、色温度が調整された白色光を出力する発光装置において、前記色温度の異なる複数の発光素子は、色温度は３０００Ｋ（ケルビン）以下の低い色温度の第１発光素子と、色温度は３５００Ｋから４５００Ｋの中間の色温度の第２発光素子と、色温度は５７００Ｋ以上の高い色温度の第３発光素子とにより構成され、低い色温度の第１発光素子及び高い色温度の第３発光素子に対して中間の色温度の第２発光素子が、黒体輻射軌跡に対して正または負の異なる領域に存在し、前記第１発光素子と第２発光素子を同時に駆動する第１の駆動回路と、前記第３発光素子と第２発光素子を同時に駆動する第２の駆動回路と、前記第１発光素子と第２発光素子と第３発光素子とを同時に駆動する第３の駆動回路とを備えた駆動手段を有し、第１駆動回路を動作させた時には第１発光素子と第２発光素子に電流が流れ、第１発光素子と第２発光素子が発光し、第２駆動回路を動作させた時には第３発光素子と第２発光素子に電流が流れ、第３発光素子と第２発光素子が発光し、第３駆動回路を動作させた時には第１発光素子、第２発光素子、第３発光素子に電流が流れ、第１発光素子と第２発光素子、第３発光素子の全部が発光することを特徴とする。
【００１３】
上記構成によれば、低い色温度の第１発光素子及び高い色温度の第３発光素子に対して中間の色温度の第２発光素子が、黒体輻射軌跡に対して正または負の異なる領域に存在するため、３個の発光素子によって形成される三角形は、黒体輻射軌跡を挟んで相関色温度の範囲に収まる結果となり、３個の色度点による三角形状範囲の相関色温度を任意に調整することができ、且つ歩留りの高い色度調整型白色発光装置を提供することが可能となる。
また、上記構成によれば、色度調整を制御する範囲を変化させることが可能となり、希望する色温度に合わせてきめ細かい白色発光の調整が可能となる。
【００１４】
第１発光素子及び第３発光素子が黒体輻射軌跡に対して負の領域に存在し、第２発光素子が黒体輻射軌跡に対して正の領域に存在すると良い。
【００１５】
第１発光素子及び第３発光素子が黒体輻射軌跡に対して正の領域に存在し、第２発光素子が黒体輻射軌跡に対して負の領域に存在すると良い。
【００１９】
発光装置は回路基板上に実装された１個の第１発光素子及び第３発光素子と２個の第２発光素子の発光素子ブロックを有すると良い。
【図面の簡単な説明】
【００２０】
【図１】本発明の第１実施形態の、ＸＹ色度図における白色発光領域の要部拡大図である。
【図２】本発明の第１実施形態におけるＬＥＤブロックの断面図である。
【図３】本発明の第１実施形態におけるＬＥＤ発光装置のブロック線図である。
【図４】図１の白色発光領域における各色度点の発光状態を示す要部拡大図である。
【図５】図１の白色発光領域における各色度点の発光状態を示す要部拡大図である。
【図６】図１の白色発光領域における各色度点の発光状態を示す要部拡大図である。
【図７】本発明の第２実施形態の、ＸＹ色度図における白色発光領域の要部拡大図である。
【図８】図７の白色発光領域における各色度点の発光状態を示す要部拡大図である。
【図９】図７の白色発光領域における各色度点の発光状態を示す要部拡大図である。
【図１０】図７の白色発光領域における各色度点の発光状態を示す要部拡大図である。
【図１１】本発明の第３実施形態におけるＬＥＤブロックの平面図である。
【図１２】図１１に示すＬＥＤ発光装置のＡ−Ａ断面図である。
【図１３】図１１に示すＬＥＤ発光装置のＢ−Ｂ断面図である。
【図１４】公知のＸＹ色度図における白色発光領域を示す色度図である。
【図１５】従来のＸＹ色度図における白色発光領域の要部拡大図である。
【図１６】従来のＸＹ色度図における白色発光領域の要部拡大図である。
【図１７】従来のＸＹ色度図における白色発光領域の要部拡大図である。
【発明を実施するための形態】
【００２１】
（第１実施形態）
以下図面により、本発明の実施形態を説明する。図１から図６は本発明の第１実施形態におけるＬＥＤ発光装置を示す。図１は図１４に示すＸＹ色度図に点線の円形で示す白色発光領域Ｗの要部拡大図であり、従来技術における図１５、図１６、図１７に対応して各発光素子（以後ＬＥＤ）の配置を示している。図２は第１実施形態におけるＬＥＤブロックの断面図、図３は図２に示すＬＥＤブロックを駆動する駆動装置を備えたＬＥＤ発光装置のブロック図、図４、図５、図６は図１における各ＬＥＤの発光状態図である。
【００２２】
図１は図１４における白色発光領域Ｗの要部拡大図であり、黒体輻射軌跡ＢＢＬを中心にして色温度２０００Ｋ（ケルビン）から１２０００Ｋの範囲で相関色温度（点線で示す範囲）を示している。また図１７と同様に色度点ＷＬ、ＷＭ、ＷＨの３種類のＬＥＤ（後述する図２を参考）を有し、３個の色度点ＷＬ、ＷＭ、ＷＨで囲む３角形の範囲内で任意に相関色温度を調整することができる。第１実施形態においては低い色温度の色度点ＷＬとしては２５００Ｋ、中間の色温度の色度点ＷＭとしては４０００Ｋ、高い色温度の色度点ＷＨとしては７０００Ｋを使用しているが、これに限定されるものではなく、任意に各色温度を選択可能だが、良好な相関色温度調整の条件を確認した結果、中間の色温度の色度点ＷＭとしては４０００Ｋを中心として、３５００Ｋから４５００Ｋの範囲が望ましく、また低い色温度の色度点ＷＬとしては３０００Ｋ以下が良く、さらに高い色温度の色度点ＷＨとしては５７００Ｋ以上が望ましいことが分かった。
【００２３】
また、本発明の特徴である３個の色度点ＷＬ、ＷＭ、ＷＨの配置としては、低い色温度の色度点ＷＬ及び高い色温度の色度点ＷＨに対して中間の色温度の色度点ＷＭが黒体輻射軌跡ＢＢＬに対して正または負の異なる領域に存在することが必要であり、図１に示す第１実施形態においては中間の色度点ＷＭが黒体輻射軌跡ＢＢＬの上側、すなわち正の位置に存在し、低い色度点ＷＬ及び高い色度点ＷＨが黒体輻射軌跡ＢＢＬの下側、すなわち負の位置に存在している。
【００２４】
図２はＬＥＤブロック１０の断面図であり、回路基板２の上面側に低い色温度ＷＬの発光を行う第１・ＬＥＤ１ａ、中間の色温度ＷＭの発光を行う第２・ＬＥＤ１ｂ、高い色温度ＷＨの発光を行う第３・ＬＥＤ１ｃが実装されている。３は保護樹脂である。
【００２５】
図３は図２に示すＬＥＤブロック１０を駆動する駆動装置５を備えたＬＥＤ発光装置１００のブロック図であり、駆動装置５は第１・ＬＥＤ１ａと第２・ＬＥＤ１ｂを同時に駆動する第１の駆動回路５ａと、第３・ＬＥＤ１ｃと第２・ＬＥＤ１ｂを同時に駆動する第２の駆動回路５ｂと、第１・ＬＥＤ１ａと第２・ＬＥＤ１ｂと第３・ＬＥＤ１ｃとを同時に駆動する第３の駆動回路５ｃとを備えている。
【００２６】
すなわち、第１駆動回路５ａを動作させた時には第１・ＬＥＤ１ａと第２・ＬＥＤ１ｂに電流が流れ、第１・ＬＥＤ１ａと第２・ＬＥＤ１ｂが発光する。また第２駆動回路５ｂを動作させた時には第３・ＬＥＤ１ｃと第２・ＬＥＤ１ｂに電流が流れ、第３・ＬＥＤ１ｃと第２・ＬＥＤ１ｂが発光する。さらに第３駆動回路５ｃを動作させた時には第１・ＬＥＤ１ａ、第２・ＬＥＤ１ｂ、第３・ＬＥＤ１ｃに電流が流れ、第１・ＬＥＤ１ａと第２・ＬＥＤ１ｂ、第３・ＬＥＤ１ｃの全部が発光する
【００２７】
図４、図５、図６は各駆動回路を動作させた状態を示す白色発光領域Ｗの要部拡大図であり、図１に示す白色発光領域Ｗの要部拡大図に対応している。すなわち、図１に示す３個の色度点ＷＬ、ＷＭ、ＷＨで囲む３角形の調整範囲における点灯している部分を濃い黒線で示している。
【００２８】
図４は図３に示す第３駆動回路５ｃを動作させた状態を示し、第１・ＬＥＤ１ａと第２・ＬＥＤ１ｂ、第３・ＬＥＤ１ｃの全部が発光することにより各色度点ＷＬ、ＷＭ、ＷＨを結ぶ三角形の線分が全て点灯した濃い黒線となっており、前述の如く第１・ＬＥＤ１ａ、第２・ＬＥＤ１ｂ、第３・ＬＥＤ１ｃの各光出射時間、駆動電流値、電力量といった駆動条件を制御することで、各ＬＥＤのエネルギー比を自由に変化させ、各色温度点ＷＬ、ＷＭ、ＷＨを結ぶ範囲において任意に相関色温度を調整することができる。
【００２９】
図５は図３に示す第２駆動回路５ｂを動作させた状態を示し、第３・ＬＥＤ１ｃと第２・ＬＥＤ１ｂが発光することにより色度点ＷＨ、ＷＭを結ぶ三角形の線分が点灯した濃い黒線となっており、第３・ＬＥＤ１ｃ、第２・ＬＥＤ１ｂの各光出射時間、駆動電流値、電力量といった駆動条件を制御することで、各ＬＥＤのエネルギー比を自由に変化させ、各色温度点ＷＨ、ＷＭを結ぶ範囲、すなわち、７０００Ｋから４０００Ｋの範囲において任意に相関色温度を調整することができる。
【００３０】
図６は図３に示す第１駆動回路５ａを動作させた状態を示し、第１・ＬＥＤ１ａ、第２・ＬＥＤ１ｂが発光することにより、色温度点ＷＬ、ＷＭ、ＷＨの三角形の色度点ＷＭ、ＷＬを結ぶ線分が点灯した濃い黒線となっており、第１・ＬＥＤ１ａ、第２・ＬＥＤ１ｂの各光出射時間、駆動電流値、電力量といった駆動条件を制御することで、各ＬＥＤのエネルギー比を自由に変化させ、各色温度点ＷＬ、ＷＭを結ぶ範囲、すなわち、２５００Ｋから４０００Ｋの範囲において任意に相関色温度を調整することができる。
【００３１】
すなわち第１実施形態におけるＬＥＤ発光装置１００においては、図１に示す如く色度点ＷＬとＷＨに対して色度点ＷＨを黒体輻射軌跡ＢＢＬを挟んで両側に配置することにより、各色度点の配置を相関色温度の範囲内に収めておけば良く、従来技術のように各色温度点の設定位置を黒体輻射軌跡ＢＢＬからの偏差Δｕｖを−０，０２≦Δｕｖ≦０，０２と小さく管理する必要がなくなり、量産上利用可能なＬＥＤの範囲を広くすることができるため、規格外として捨てられるＬＥＤを減少させることができる。
【００３２】
さらに、各ＬＥＤを３個の駆動回路を用いて、色度点ＷＬ、ＷＭ、ＷＨ範囲の調整、色度点ＷＬ，ＷＭ範囲の調整、色度点ＷＭ，ＷＨ範囲の調整と、きめ細かく調整することができるため、高い色度を希望する場合は、駆動回路５ｂの駆動を行い、同様に低い色度点希望する場合は、駆動回路５ａの駆動を、さらに広範囲な色度を希望する場合は、駆動回路５ｃの駆動を行うよう選定すればよい。
【００３３】
（第２実施形態）
次に図７から図１０により本発明の第２実施形態のＬＥＤ発光装置について説明する。図７は図１４に示すＸＹ色度図に点線の円形で示す白色発光領域Ｗの要部拡大図であり、図１に示す第１実施形態における白色発光領域Ｗの要部拡大図と基本的に同じであり、同一内容には同一名称を付し、重複する説明は省略する。図１に示す第１実施形態の色度点の配置図と、図７に示す第２実施形態の色度点の配置図との違いは、図１では色度点ＷＬ，ＷＨが黒体輻射軌跡ＢＢＬの下側に配置され、色度点ＷＭが黒体輻射軌跡ＢＢＬの上側に配置されていたのに対し、図７では色度点ＷＬ，ＷＨが黒体輻射軌跡ＢＢＬの上側に配置され、色度点ＷＭが黒体輻射軌跡ＢＢＬの下側に配置されていることである。
【００３４】
また、図８、図９、図１０は、各々第１実施形態における図４、図５、図６に対応しており、各々図８は各色度点ＷＬ、ＷＭ、ＷＨを結ぶ三角形の線分が全て点灯した濃い黒線となっており、各ＬＥＤのエネルギー比を自由に変化させ、各色温度点ＷＬ、ＷＭ、ＷＨを結ぶ範囲において任意に相関色温度を調整することができる。
【００３５】
また、図９は色度点ＷＬ、ＷＭ、ＷＨの三角形のうち色度点ＷＭ、ＷＬを結ぶ線分が点灯した濃い黒線となっており、各ＬＥＤのエネルギー比を自由に変化させ、各色温度点ＷＬ、ＷＭを結ぶ範囲、すなわち、２５００Ｋから４０００Ｋの範囲において任意に相関色温度を調整することができる。さらに図１０は色度点ＷＭ、ＷＬを結ぶ三角形の線分が点灯した濃い黒線となっており、各ＬＥＤのエネルギー比を自由に変化させ、各色温度点ＷＬ、ＷＭを結ぶ範囲、すなわち、２５００Ｋから４０００Ｋの範囲において任意に相関色温度を調整するものであり、これらの、図８、図９、図１０における、駆動動作は図３で説明した第１実施形態の駆動動作とおなじであり、重複説明は省略する。
【００３６】
図７から図１０に示す第２実施形態のＬＥＤ発光装置においても、図１の第１実施形態のＬＥＤ発光装置と同様に、黒体輻射軌跡ＢＢＬを挟んで相関色温度の範囲を広く使って色度点の配置を行うことができるため、黒体輻射軌跡ＢＢＬからの偏差Δｕｖを小さく管理する必要がなくなり、規格外として捨てられるＬＥＤを減少させることができると共に、きめ細かい色度調整が可能となる。
【００３７】
（第３実施形態）
次に図１１から図１３により本発明の第３実施形態であるＬＥＤブロックについて説明する。図１１は第３実施形態におけるＬＥＤブロック２０の平面図、図１２は図１１のＡ−Ａ断面図、図１３は図１１のＢ−Ｂ断面図である。第３実施形態のＬＥＤブロック２０において第１実施形態のＬＥＤブロック１０と異なるところは、低い色温度ＷＬの発光を行う第１・ＬＥＤ１ａ、高い色温度ＷＨの発光を行う第３・ＬＥＤ１ｃと、中間の色温度ＷＭの発光を行うためＬＥＤとして、２個の第２・ＬＥＤ１ｂ１、ＬＥＤ１ｂ２を設けたことである。
【００３８】
図１１はＬＥＤブロック２０の平面図で、４個のＬＥＤが四角に配置され、第１・ＬＥＤ１ａと第３・ＬＥＤ１ｃが対角に配置され、２個の第２・ＬＥＤ１ｂ１、ＬＥＤ１ｂ２とが対角に配置されている。図１２は図１１のＡ−Ａ断面図、図１３は図１１のＢ−Ｂ断面図であり、各々図１２には第１・ＬＥＤ１ａと第２・ＬＥＤ１ｂ１が配置されており、図１３には第３・ＬＥＤ１ｃと第２・ＬＥＤ１ｂ２が配置されている。なお、中間の色温度ＷＭの発光を行うための２個の第２・ＬＥＤ１ｂ１、ＬＥＤ１ｂ２は同じ色温度のＬＥＤでも良く、また異なる色温度のＬＥＤでも良い。
【００３９】
上記ＬＥＤ発光装置２０においては図示は省略したが、図３の駆動回路５と基本的に同じ構成で、第１・ＬＥＤ１ａと第２・ＬＥＤ１ｂ１を同時に駆動する駆動回路、第１・ＬＥＤ１ａと、第２・ＬＥＤ１ｂ１、１ｂ２を同時に駆動する駆動回路、第３・ＬＥＤ１ｃと第２・ＬＥＤ１ｂ１を同時に駆動する駆動回路、第３・ＬＥＤ１ｃと第２・ＬＥＤ１ｂ１、１ｂ２を同時に駆動する駆動回路、第１・ＬＥＤ１ａと、第２・ＬＥＤ１ｂ１、１ｂ２と第３・ＬＥＤ１ｃを同時に駆動する駆動回路を設けることによって、よりきめ細かい色度調整が可能となる。
【００４０】
以上の如く、本発明のように低い色温度の第１のＬＥＤと、中間の色温度の１個または２個以上の第２のＬＥＤと、高い色温度の第３のＬＥＤとにより構成され、低い色温度の第１のＬＥＤ及び高い色温度の第３のＬＥＤに対して中間の色温度の第２のＬＥＤを、黒体輻射軌跡に対して正または負の異なる領域に存在させることによって、各色度点の設定位置を相関色温度の範囲に収めるだけで、相関色温度を任意に調整することができ、且つ歩留りの高い色度調整型白色発光装置を提供することができる。
【符号の説明】
【００４１】
１ａ、                  第１・ＬＥＤ
１ｂ、１ｂ１，１ｂ２    第２・ＬＥＤ
１ｃ                    第３・ＬＥＤ
２                      回路基板
３                      保護樹脂
５                      駆動回路
５ａ                    第１の駆動回路
５ｂ                    第２の駆動回路
５ｃ                    第３の駆動回路
１０，２０              ＬＥＤブロック
１００                  ＬＥＤ発光装置
ＷＬ                    低い色温度点
ＷＭ                    中間の色温度点
ＷＨ                    高い色温度点
ＢＢＬ                  黒体輻射軌跡
【図１】
0005705623.tif 000002
【図２】
0005705623.tif 000003
【図３】
0005705623.tif 000004
【図４】
0005705623.tif 000005
【図５】
0005705623.tif 000006
【図６】
0005705623.tif 000007
【図７】
0005705623.tif 000008
【図８】
0005705623.tif 000009
【図９】
0005705623.tif 000010
【図１０】
0005705623.tif 000011
【図１１】
0005705623.tif 000012
【図１２】
0005705623.tif 000013
【図１３】
0005705623.tif 000014
【図１４】
0005705623.tif 000015
【図１５】
0005705623.tif 000016
【図１６】
0005705623.tif 000017
【図１７】
0005705623.tif 000018